【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
１つ又は複数のプロセッサーにより実行されると、マイクロペイメントを引き換える動作を前記１つ又は複数のプロセッサーに実行させる、コンピューター実行可能な命令を格納する１つ又は複数のコンピューター読み取り可能な記憶媒体であって、前記動作は、
マイクロペイメント発行者と第２の商品提供者との間で契約を形成するステップであって、前記マイクロペイメント発行者は、第１の商品提供者の第１の商品と引換え可能なようにもともと構成されるマイクロペイメントを発行する、形成するステップと、
前記マイクロペイメントを受信するステップと、
前記第２の商品提供者によって提供される第２の商品を取得するために、前記マイクロペイメントを引き換えるステップと、
前記第２の商品提供者によって引き換えられた前記マイクロペイメントを追跡して、前記マイクロペイメント発行者にある金額のインボイスを送るステップと
を含む方法。
【請求項２】
前記契約を形成するステップは、前記第２の商品提供者が、該第２の商品提供者によって提供される前記商品に向けられる、前記第１の商品提供者のために意図される前記マイクロペイメントを受理するための、前記マイクロペイメント発行者と前記第２の商品提供者との間の協定を取得するステップを含む、請求項１に記載の１つ又は複数のコンピューター読み取り可能な記憶媒体。
【請求項３】
前記契約を形成するステップは、前記マイクロペイメント発行者の第１のマイクロペイメント額面単位と、前記第２の商品提供者によって受理される第２のマイクロペイメント額面単位との間の変換レート及び収益共有を契約するステップをさらに含む、請求項２に記載の１つ又は複数のコンピューター読み取り可能な記憶媒体。
【請求項４】
前記マイクロペイメントは、ボーナスポイント、照会ポイント、参加ポイント、購入ポイント、リワードポイント、感謝ポイント、航空マイル、移動電話基本分数、クーポン割引、販売促進割引、割引コード、仮想コイン、ハイパーリンク照会クレジット、及びオンライン購入に対して与えられるオンラインボーナスから成る、一群のマイクロペイメントから選択される、請求項１に記載の１つ又は複数のコンピューター読み取り可能な記憶媒体。
【請求項５】
前記動作は、
ユーザーから複数のマイクロペイメント発行者の異種の複数のマイクロペイメントを受信するステップと、
前記異種の複数のマイクロペイメントを複数の商品提供者のうちの１つによって提供される商品と引き換えるステップと
をさらに含む、請求項１に記載の１つ又は複数のコンピューター読み取り可能な記憶媒体。
【請求項６】
前記動作は、
各々が前記マイクロペイメント発行者のうちの１つ及び前記商品提供者のうちの１つから成る対の間で１組の契約を取得するステップをさらに含み、
各契約は、少なくとも部分的に、前記商品提供者によって提供される或る種類の商品に関して、前記マイクロペイメント発行者の或る種類のマイクロペイメントを受理する協定から成り、
前記対のうちの一方のマイクロペイメント発行者及び該対の商品提供者が同じ事業体であるとき、契約は取得されない、請求項５に記載の１つ又は複数のコンピューター読み取り可能な記憶媒体。
【請求項７】
前記契約は、前記異種の複数のマイクロペイメントのそれぞれに対する変換レートを標準に対して指定する、請求項６に記載の１つ又は複数のコンピューター読み取り可能な記憶媒体。
【請求項８】
前記標準は、前記商品提供者のうちの１つの前記マイクロペイメントのうちの１つの額面単位を含む、請求項７に記載の１つ又は複数のコンピューター読み取り可能な記憶媒体。
【請求項９】
取引所を介してポイントの引き換えを容易にするコンピューターにより実施されるシステムであって、コンピューター読み取り可能な媒体に格納されて１つ又は複数のプロセッサーにより実行可能な以下のコンポーネント：
ポイント発行者とサービス提供者との間の契約であって、各契約は、前記サービス提供者によって提供される或る種類の商品に関して、前記ポイント発行者によって発行される或る種類のポイントを受理する協定から成る、契約と、
第１のサービス提供者の第１の種類の商品のために意図される第１のポイント発行者のポイントを受理して第２のサービス提供者の第２の種類の商品を調達する引換えエンジンと、
前記契約に従って、前記ポイント発行者、前記サービス提供者、及び前記取引所の間で資金移動を可能にするインボイス発行エンジンと
を備える、コンピューターにより実施されるシステム。
【請求項１０】
前記ポイントは、照会ポイント、参加ポイント、購入ポイント、リワードポイント、感謝ポイント、航空マイル、移動電話基本分数、クーポン割引、販売促進割引、割引コード、仮想コイン、ハイパーリンク照会クレジット、並びにオンライン購入に対して与えられるオンラインボーナス及びオンライン割引から成る、一群のポイントから選択される、請求項９に記載のコンピューターにより実施されるシステム。
【請求項１１】
前記引換えエンジンが、第１のポイント発行者のポイントの第１の価値を、前記契約のうちの１つにおける変換レートに従って第２のポイント発行者のポイントの第２の価値に変換する、請求項９に記載のコンピューターにより実施されるシステム。
【請求項１２】
前記引換えエンジンは、前記取引所のユーザーから、複数のポイント発行者の異種の複数のポイントを受理して前記商品を調達する、請求項９に記載のコンピューターにより実施されるシステム。
【請求項１３】
ユーザーの複数のポイント残高を管理するユーザー口座管理部をさらに備える、請求項９に記載のコンピューターにより実施されるシステム。
【請求項１４】
前記ユーザー口座管理部は、商品を取得するときに最も優先度が高い残高が最初に引き換えられるように、前記複数のボーナスポイント残高を優先順位付けする、請求項１３に記載のコンピューターにより実施されるシステム。
【請求項１５】
コンピューターにより使用可能なユーザーインターフェース上で複数の用意された視覚的な要素を介して取引所を通じて引き換え取引を提供する装置であって、
優先順位付けされたボーナスポイント残高の視覚的リストであって、前記優先順位付けされたボーナスポイント残高の各々は少なくとも１つの基準に対する変換レートを含む、視覚的リストと、
第１のサービス提供者によって発行される前記ボーナスポイント残高のうちの１つを、第２のサービス提供者によって提供される商品と引き換えるように指示するための視覚的選択部と、
前記優先順位付けされたボーナスポイント残高、前記変換レート、及び引き換えのうち１つ又は複数を含む情報の履歴を閲覧するための視覚的選択部と
を備える、装置。
【請求項１６】
さらなるサービス提供者によって発行されるさらなるボーナスポイント残高を追加する情報を入力するための入力部をさらに備える、請求項１５に記載の装置。
【請求項１７】
前記ボーナスポイント残高のうちの２つをリンク付けするための入力部であって、それによって第２のボーナスポイント残高が閾値未満になると、変換レートに従って前記２つのボーナスポイント残高のうちの第１のボーナスポイント残高が前記２つのボーナスポイント残高のうちの前記第２のボーナスポイント残高を補充する、入力部をさらに備える、請求項１５に記載の装置。
【請求項１８】
現金を使用して商品を買うため、又はボーナスポイントを使用して該商品を買うための視覚的選択部であって、異種の複数のボーナスポイント残高のうちの１つ又は複数を介して前記商品を引き換えるために選択するための前記異種の複数のボーナスポイント残高のメニューを含む、視覚的選択部をさらに備える、請求項１５に記載の装置。